(57)【特許請求の範囲】
【請求項１】
順次連なった４つの略四角形状第１〜第４パネル（21〜24）を有し、これらのパネル（21〜24）外面には加熱すべき加熱領域（41〜43）が形成されている角筒状容器端部構成部（13）を加熱する加熱装置であって、
容器端部構成部（13）にはめ被せられる容器外面加熱用熱風噴出ノズル（72）を有しており、噴出ノズル（72）が、第１〜第４パネル（21〜24）と対応して順次連なった４つの側壁（141〜144）を有しており、これら側壁の少なくとも１つの側壁（141〜144）には、対応するパネル（21〜24）の加熱領域（41〜43）と相対しかつ噴孔（161、191、241）を形成した熱風噴出部（171、201、251）およびこれ以外の熱風非噴出部（172、221）が形成されており、熱風非噴出部（172、221）の少なくとも一部に、熱風逃げ（151、211）が形成されており、
熱風噴出ノズル（72）が、取付板（52）から吊下られ、熱風噴出ノズル（72）の周方向少なくとも１か所と取付板（52）の間に熱風排出間隙（261、262）が形成されている容器ヒートシール用加熱装置。
【請求項２】
４つのパネル（21〜24）の少なくとも１つのパネル（23）外面に形成された加熱領域が零であり、同パネル（23）に対応する側壁（143）には熱風非噴出部（221）のみが形成されており、熱風逃げ（211）が、同熱風非噴出部（221）の全体に広がっている請求項１に記載の容器ヒートシール用加熱装置。
【請求項３】
順次連なった４つの略四角形状第１〜第４頂壁パネル（351〜354）を有し、第１〜第４頂壁パネル（351〜354）が、第１〜第４スコア線（361〜364）によって、第１〜第４ルーフパネル（371〜374）および第１〜第４シールパネル（381〜384）に区画され、第１〜第４シールパネル（381〜384）内面には加熱すべき加熱領域（421〜424）が形成されている角筒状容器頂部構成部（313）を加熱する加熱装置であって、
容器頂部構成部（313）内にはめ入れられる有底筒状容器内面加熱用熱風噴出ノズル（571）を有しており、噴出ノズル（571）が、第１〜第４シールパネル（381〜384）と対応して順次連なった４つの側壁（581〜584）を有しており、これらの側壁の少なくとも１つの側壁（581〜584）には、対応するシールパネル（381〜384）の加熱領域（421〜424）と相対しかつ噴孔（631）を形成した熱風噴出部（611〜614）およびこれ以外の熱風非噴出部（621〜623、624〜627）が形成されており、熱風非噴出部（621〜623、624〜627）の少なくとも一部に、熱風逃げが形成されており、
容器頂部構成部（313）にはめ被せられる容器外面加熱用熱風噴出ノズル（572）を有しており、容器外面加熱用熱風噴出ノズル（572）が、取付板（552）から吊下られ、容器外面加熱用熱風噴出ノズル（572）および取付板（552）の間に熱風排出間隙（682）が形成されている容器ヒートシール用加熱装置。
【請求項４】
容器内面加熱用噴出ノズル（571）が、底壁（585）を有しており、熱風逃げが、同噴出ノズル（571）の側壁（583）から底壁（585）にかけて拡がる凹所（641）である請求項３に記載の容器ヒートシール用加熱装置。
【発明の詳細な説明】
【０００１】
【発明の属する技術分野】
この発明は、例えば、角筒状ブランクの容器底部または頂部となるべき端部を平坦に折畳んでヒートシールする際に用いられる容器ヒートシール用加熱装置に関する。
【０００２】
【従来の技術】
この種の従来装置としては、順次連なった４つの略四角形状第１〜第４底壁パネルを有し、これらの底壁パネル内面には加熱すべき加熱領域が形成されている角筒状容器底部構成部を加熱する加熱装置であって、容器底部構成部内にはめ入れられる有底筒状容器内面加熱用熱風噴出ノズルを有しており、噴出ノズルが、第１〜第４底壁パネルと対応して順次連なった４つの側壁を有しており、各側壁には、対応する底壁パネルの加熱領域と相対しかつ噴孔を形成した熱風噴出部およびこれ以外の熱風非噴出部が形成されており、各底壁パネルに対して、対応する側壁の熱風噴出部および熱風非噴出部の全体が一定間隔に保持されるようになされているものが知られている（例えば、特許文献１参照。）。
【０００３】
【特許文献１】
特開平１１−２４００８３号公報
【０００４】
【発明が解決しようとする課題】
上記従来装置においては、底壁パネル内面には加熱すべき加熱領域に対しては、噴出ノズルの噴孔を向合わせて噴孔から噴出される熱風により加熱領域を集中的に加熱しようとしている。これにより、加熱領域のみが加熱されることになると問題は無いが、加熱領域以外の非加熱領域も加熱されてしまうことがある。その要因としては、つぎの２つのことが考えられる。第１は、噴孔から噴出される熱風は、加熱領域のみならず、これに隣接する非加熱領域にも接触されられることとなって、非加熱領域が加熱されてしまうからである。第２は、加熱領域に対応して、噴出ノズルの熱風噴出部の噴孔から熱風が噴出されるが、噴出される熱風により、噴孔の無い熱風非噴出部が加熱されてしまい、加熱された熱風非噴出部から放射される熱によって非加熱領域が加熱されてしまうからである。
【０００５】
加熱する必要の無い非加熱領域が加熱されると、包材がダメージを受ける可能性がある。とくに、製品輸送時には、容器底部は常に内容液と接触するので、包材がダメージを受けると、内容物の漏れを生じさせる等の不都合を来す要因となる。
【０００６】
この発明は、容器端部のヒートシールに際し、容器となる包材の必要か所のみを集中的に加熱することのできる容器ヒートシール用加熱装置を提供することを目的とするものである。
【０００７】
【課題を解決するための手段】
この発明による容器ヒートシール用加熱装置は、順次連なった４つの略四角形状第１〜第４パネルを有し、これらのパネル内面には加熱すべき加熱領域が形成されている角筒状容器端部構成部を加熱する加熱装置であって、容器端部構成部内にはめ入れられる有底筒状容器内面加熱用熱風噴出ノズルを有しており、噴出ノズルが、第１〜第４パネルと対応して順次連なった４つの側壁を有しており、これら側壁の少なくとも１つの側壁には、対応するパネルの加熱領域と相対しかつ噴孔を形成した熱風噴出部およびこれ以外の熱風非噴出部が形成されており、熱風非噴出部の少なくとも一部に、熱風逃げが形成されているものである。
【０００８】
この発明による容器ヒートシール用加熱装置では、パネルの内面側において、熱風非噴出部の少なくとも一部に、熱風逃げが形成されているから、熱風噴出部から噴出された熱風は、熱風逃げを通って熱風非噴出部とこれと相対するパネルの間から速やかに排出されるため、加熱領域以外の部分が不必要に加熱されることがない。さらに、熱風噴出部から噴出される熱風によって熱風非噴出部が加熱されたとしても、加熱された熱風非噴出部から放射さける熱の影響を、熱風逃げが低減させる。したがって、パネルの加熱領域以外の部分を加熱することなく、加熱領域のみを集中的に加熱することができる。
【０００９】
さらに、熱風噴出部および熱風非噴出部が、境界線によって上下に区画されており、熱風逃げが、熱風非噴出部の全体に広がっていると、一層、加熱領域のみが効率良く加熱される。
【００１０】
また、境界線が、側壁の両側縁下端から立ち上がった略逆Ｖ字状をなしていると、熱風非噴出部を通じて、熱風を効率よく排出することができる。
【００１１】
この発明による他の容器ヒートシール用加熱装置は、順次連なった４つの略四角形状第１〜第４パネルを有し、これらのパネル外面には加熱すべき加熱領域が形成されている角筒状容器端部構成部を加熱する加熱装置であって、容器端部構成部にはめ被せられる容器外面加熱用熱風噴出ノズルを有しており、噴出ノズルが、第１〜第４パネルと対応して順次連なった４つの側壁を有しており、これら側壁の少なくとも１つの側壁には、対応するパネルの加熱領域と相対しかつ噴孔を形成した熱風噴出部およびこれ以外の熱風非噴出部が形成されており、熱風非噴出部の少なくとも一部に、熱風逃げが形成されているものである。
【００１２】
この発明による他の容器ヒートシール用加熱装置では、パネル内面側と同様に、パネル外面側においても、パネルの加熱領域以外の部分を加熱することなく、加熱領域のみを集中的に加熱することができる。
【００１３】
さらに、熱風噴出部および熱風非噴出部が、側壁の両側縁長さの中程を連絡した略一文字状境界線によって上下に区画されており、熱風逃げが、熱風非噴出部の全体に広がっていると、熱風噴出部から噴出される熱風による加熱は、一層、加熱領域に集中させられる。
【００１４】
また、４つのパネルの少なくとも１つのパネル外面に形成された加熱領域が零であり、同パネルに対応する側壁には熱風非噴出部のみが形成されており、熱風逃げが、同熱風非噴出部の全体に広がっていると、加熱領域が零であるパネルは一切加熱されることはなく、しかも、熱風逃げを通じて同パネルと側壁の間から、他の側壁から噴出された熱風を速やかに排出することができる。
【００１５】
また、熱風噴出ノズルが、取付板から吊下られ、熱風噴出ノズルの周方向少なくとも１か所と取付板の間に熱風排出間隙が形成されていると、容器内面加熱用熱風噴出ノズルと容器外面加熱用熱風噴出ノズルの間に熱風が不必要に滞留することがなく、加熱領域の集中加熱に一層の効果がある。
【００１６】
この発明によるさらなる他の容器ヒートシール用加熱装置は、順次連なった４つの略四角形状第１〜第４頂壁パネルを有し、第１〜第４頂壁パネルが、第１〜第４スコア線によって、第１〜第４ルーフパネルおよび第１〜第４シールパネルに区画され、第１〜第４シールパネル内面には加熱すべき加熱領域が形成されている角筒状容器頂部構成部を加熱する加熱装置であって、容器頂部構成部内にはめ入れられる有底筒状容器内面加熱用熱風噴出ノズルを有しており、噴出ノズルが、第１〜第４シールパネルと対応して順次連なった４つの側壁を有しており、これらの側壁の少なくとも１つの側壁には、対応するシールパネルの加熱領域と相対しかつ噴孔を形成した熱風噴出部およびこれ以外の熱風非噴出部が形成されており、熱風非噴出部の少なくとも一部に、熱風逃げが形成されているものである。
【００１７】
この発明による他の容器ヒートシール用加熱装置では、シールパネルの内面側において、熱風非噴出部の少なくとも一部に、熱風逃げが形成されているから、熱風噴出部から噴出された熱風は、熱風逃げを通って熱風非噴出部とこれと相対するパネルの間から速やかに排出されるため、加熱領域以外の部分が不必要に加熱されることがない。さらに、熱風噴出部から噴出される熱風によって熱風非噴出部が加熱されたとしても、加熱された熱風非噴出部から放射される熱の影響を、熱風逃げが低減させる。したがって、シールパネルの加熱領域以外の部分を加熱することなく、加熱領域のみを集中的に加熱することができる。
【００１８】
さらに、噴出ノズルが、底壁を有しており、熱風逃げが、噴出ノズルの側壁から底壁にかけて拡がる凹所であると、充填時に発生する泡が噴出ノズルの底壁に付着することを防止できる。もし仮に、同底壁に泡が付着すると、ノズルの目詰まりの恐れがあるが、その心配が無い。
【００１９】
また、２つの熱風噴出部が１つの熱風非噴出部を挟んでの両側に位置させられており、熱風逃げが、熱風非噴出部の全体に広がっていると、一層、加熱領域のみが効率良く加熱される。
【００２０】
また、容器頂部構成部にはめ被せられる容器外面加熱用熱風噴出ノズルが、取付板から吊下られ、容器外面加熱用熱風噴出ノズルおよび取付板の間に熱風排出間隙が形成されていると、容器内面加熱用熱風噴出ノズルおよび容器外面加熱用熱風噴出ノズルの間に熱風が不必要に滞留することがなく、加熱領域の集中加熱に一層の効果がある。
【００２１】
【発明の実施の形態】
この発明の実施の形態を図面を参照してつぎに説明する。
【００２２】
＜容器底部用加熱装置＞
図７(a)に、ブランク10の内面側から見た展開図が示され、図８(a)に、ブランク10の外面側から見た展開図が示されている。
【００２３】
図７(a)において、ブランク10には１本の横スコア線11が形成されるとともに、これと交差するように４本の縦スコア線12が形成されている。横スコア線11の上方部分が底部構成部13を形成し、その下方部分が胴部構成部14を形成する。
【００２４】
底部構成部13は、縦スコア線12によって区画されて左から右に順次連なる４つの略方形状第１〜第４底壁パネル21〜24と、第４底壁パネル24の右縁部に連なっている帯状第５底壁パネル25とよりなる。あらかじめ、第１底壁パネル21の左縁内面に第５底壁パネル25の外面全体がシールされることにより、底部構成部13は、角筒状に成形されている。
【００２５】
第２底壁パネル22および第４底壁パネル24には逆Ｖ字状スコア線26がそれぞれ形成されている。第１底壁パネル21および第３底壁パネル23には、逆Ｖ字状スコア線26と同形状の逆Ｖ字状仮想線27がそれぞれ形成されている。
【００２６】
図８(a)において、図７(a)の横スコア線11、縦スコア線12および逆Ｖ字状スコア線26と表裏一体関係に、横スコア線11、縦スコア線12および逆Ｖ字状スコア線26がそれぞれ形成されている。第１底壁パネル21には第２底壁パネル22の上縁部を右方に延長するように一文字状仮想線28が形成されている。一文字状仮想線28の長さの中程には略Ｕ字状下方湾曲部29が形成されている。
【００２７】
底部構成部13内面において、第１底壁パネル21の逆Ｖ字状仮想線27より上側の部分に第１加熱領域31が、第２底壁パネル22の逆Ｖ字状スコア線26より上側の部分に第２加熱領域32が、第３底壁パネル23の逆Ｖ字状仮想線27より上側の部分に第３加熱領域33が、第４底壁パネル24の逆Ｖ字状スコア線26より上側の部分に第４加熱領域34がそれぞれ形成されている。各底壁パネル21〜24の加熱領域31〜34以外には非加熱領域35〜38が順次形成されている。加熱領域31〜34にはハッチングが施されている。
【００２８】
底部構成部13外面においては、第１底壁パネル21の一文字状仮想線28より上側の部分に第１加熱領域41が形成されるとともに、第２底壁パネル22および第４底壁パネル24の全体には第２および第３加熱領域42、43がそれぞれ形成されている。第１底壁パネル21の第１加熱領域41下方には第１非加熱領域44が、第３底壁パネル23の全体には第２非加熱領域45がそれぞれ形成されている。
【００２９】
図１を参照すると、容器ヒートシール用加熱装置は、熱風供給筒51と、これの排出口に取付板52を介して接続されている熱風ノズル53とを備えている。
【００３０】
図４を参照すると、取付板52中央には中央連通口61が形成されるとともに、これを挟んでその両側に一対の側方連通口62がそれぞれ形成されている。
【００３１】
熱風ノズル53は、上端開口を中央連通口61に接続するように取付板52に下方突出状に取付られている有底角筒状容器内面加熱ノズル71と、容器内面加熱ノズル71を所定間隔をおいて取囲んでいる環状容器外面加熱ノズル72とを備えている。
【００３２】
熱風ノズル53は、角筒状ブランクの底部構成部13に対して接近・離隔しうるようにその軸方向に移動自在である。熱風ノズル53の接近時に、底部構成部13に容器内面加熱ノズル71がはめ入れられるとともに、底部構成部13に容器外面加熱ノズル72がはめ被せられるようになっている。
【００３３】
容器内面加熱ノズル71は、図５に詳細に示すように、順次連なる４つの第１〜第４側壁81〜84および底壁85を有している。
【００３４】
図７(b)には、第１〜第４側壁81〜84を外面側から見た展開図が示されている。また、この展開図には、第１〜第４底壁パネル21〜24内面側が想像線で重合わされるように示されている。
【００３５】
４つの側壁81〜84には、下縁両端からそれぞれ立ち上がった第１〜第４逆Ｖ字状境界線91〜94の下方部分に、これを内向きに凹ませることによって凹所95〜98がそれぞれ形成されている。４つの凹所95〜98は、ノズル71の中心部でつながっており、結果として、凹所95〜98の底が無くなっている。また、各側壁81〜84の凹所95〜98以外の部分は、平坦である。
【００３６】
底壁85は、凹所95〜98の上端レベルと同レベルのところにあって、同凹所95〜98上端を順次連絡する直線を外周縁とする四角形状中央壁部101と、隣合う側壁81〜84の稜線下端から同側壁81〜84の凹所95〜98にそって中央壁部101の一辺まで広がっている４つの三角形状コーナ壁部102とよりなる。
【００３７】
第１〜第４側壁81〜84外面は、熱風ノズル53の接近時に、底部構成部13の第１〜第４底壁パネル21〜24の内面とそれぞれ相対させられる。この状態で、逆Ｖ字状境界線91〜94は、底壁パネル21〜24の逆Ｖ字状スコア線26または逆Ｖ字状仮想線27と合致させられる。したがって、各側壁81〜84の凹所95〜98以外の部分は、底壁パネル21〜24の加熱領域31〜34に対応し、各側壁21〜24の凹所95〜98の部分は、底壁パネル21〜24の非加熱領域35〜38に対応する。そして、前者の部分には、多数の噴孔111が千鳥配列で散在するようにあけられており、これにより、第１〜第４側壁81〜84に第１〜第４熱風噴出部121〜124が形成されている。一方、各側壁81〜84の凹所95〜98の部分には、噴孔は無くて、非熱風噴出部125〜128を形成し、これらは、またその全体が、内面側熱風用逃げを形成している。
【００３８】
再び図４を参照すると、容器外面加熱ノズル72は、第１〜第４底壁パネル21〜24と対応するように順次環状となるように組立られた４つの第１〜第４ノズルブロック131〜134よりなる。これらの第１〜第４ノズルブロック131〜134は、第１〜第４底壁パネル21〜24とそれぞれ相対させられる第１〜第４側壁141〜144を有している。
【００３９】
図６を参照しながら、容器外面加熱ノズル72について詳細に説明すると、第１ノズルブロック131は、幅方向を厚みとし、両端部を除いた下半分に下方開放内向き凹所151を有する横長方形中空体状のもので、両端中空部152およびこれらの上部を連絡している中央中空部153と、これらの外面側に当てられている単体の板154とを有している。両端中空部152の内側壁には円形状連通孔155があけられている。
【００４０】
第１側壁141は、凹所151の上側に広がって中央中空部153内側の壁面を形成する上側壁141aと、凹所151の底に広がる単板154よりなりかつ上側壁141aから第１ノズルブロック131の厚みに相当する距離だけ後退させられている下側壁141bとよりなる。
【００４１】
上側壁141aのほぼ上半分には複数の噴孔161が形成されている。これらの噴孔161を形成している部分が第１熱風噴出部171を形成している。凹所151の部分には、噴孔が無くて、第１非熱風噴出部172を形成し、これは、また、第１外面側熱風用逃げを形成している。
【００４２】
第２ノズルブロック132は、上端を側方連通口62の１つに接続した幅方向を厚みとする横断面一様な上端開口横長方形中空体181よりなる。中空体181は、第１ノズルブロック131の高さよりも高い高さを有している。中空体181の両端面には円形状連通孔182があけられている。
【００４３】
中空体181の内側壁全体が第２側壁142を形成している。第２側壁142の上縁部を除いたほぼ全体に多数の噴孔191が形成されている。これらの噴孔191を形成している部分が第２熱風噴出部201を形成している。
【００４４】
第３ノズルブロック133は、上下方開放凹所211を有し、かつ、両端中空部212およびこれらの後面側に渡されている単板213よりなる。両端中空部212の内側壁には円形状連通孔214があけられている。
【００４５】
第３側壁143は、凹所211の底を形成している単板213よりなる。第３側壁143には噴孔があけられておらず、したがって、これは、非熱風噴出部221を形成している。また、凹所211は、第２外面側熱風用逃げを形成している。
【００４６】
第４ノズルブロック134は、第２ノズルブロックと向きは逆であるが、同一構造の中空体231よりなる。また、中空体231は、連通孔232を有している。
【００４７】
第４側壁144は、中空体231の内側壁によって形成されかつ噴孔241および第３熱風噴出部251を有している。
【００４８】
第１ノズルブロック131および第３ノズルブロック133が相対させられるとともに、第２ノズルブロック132および第４ノズルブロック134が相対させられ、第１ノズルブロック131および第３ノズルブロック133の両端部間に第２ノズルブロック132および第４ノズルブロック134がそれぞれ挟み付けられることにより、第１〜第４ノズルブロック131〜134の組立が果たされている。
【００４９】
この状態で、第１〜第４ノズルブロック131〜134の底面は面一となるように揃えられ、第１〜第４ノズルブロック131〜134の隣り合うもの同士の連通孔155、182、214、232は通じ合っている。
【００５０】
図８(b)に、第１〜第４側壁141〜144を内面側から見た展開図が、第１〜第４底壁パネル21〜24外面側展開図とともに示されている。
【００５１】
第１底壁パネル21の第１加熱領域41に第１側壁141の第１熱風噴出部171が、第２底壁パネル22の第２加熱領域42に第２側壁の142の第２熱風噴出部201が、第４底壁パネル24の第３加熱領域43に第４側壁144の第３熱風噴出部251がそれぞれ合致させられている。また、第１底壁パネル21の第１非加熱領域44には第１側壁141の第１非熱風噴出部172が対応させられるとともに、第３側壁43の第２非加熱領域45には第３側壁143の第２非熱風噴出部221が対応させられている。
【００５２】
第１および第３ノズルブロック131、133と、第２および第４ノズルブロック132、134とは高さに差がある。この高さの差の分だけ、図３に示すように、取付板52と第１ノズルブロック131間には第１熱風排出間隙261が生じさせられるとともに、取付板52と第３ノズルブロック133間には第２熱風排出間隙262が生じさせられている。
【００５３】
主として図３を参照すると、熱風供給管51を通じて、熱風ノズル53に熱風が供給される。容器内面加熱ノズル71は底部構成部13内面を加熱し、容器外面加熱ノズル72は底部構成部13外面を加熱する。
【００５４】
底部構成部13内面においては、底部構成部13内面の第１〜第４加熱領域31〜34が容器内面加熱ノズル71の第１〜第４熱風噴出部121〜124から噴出される熱風によって集中的に加熱されるが、第１〜第４非熱風噴出部125〜128からは熱風が噴出されないため、底部構成部13内面の第１〜第４非加熱領域35〜38は加熱されない。第１〜第４熱風噴出部121〜124から噴出される熱風によって、第１〜第４熱風噴出部121〜124に近接する第１〜第４非熱風噴出部125〜128の一部は、加熱される可能性はあるが、同部分は、凹所95〜98内にあって、第１〜第４非熱風噴出部125〜128からは遠ざけられているため、第１〜第４非熱風噴出部125〜128の加熱による放射熱によって第１〜第４非加熱領域35〜38が加熱される恐れは無い。さらに、第１〜第４熱風噴出部121〜124から噴出された熱風は、加熱領域31〜34を加熱した後、矢印Ａで示すように、凹所95〜98を通じて逃がされるため、同熱風によって非加熱領域35〜38が加熱される心配も無い。また、同熱風の一部は、矢印Ｂで示すように、間隙261、262を通じて熱風ノズル53外に排出される。
【００５５】
底部構成部13外面においては、まず、第１側壁141の第１熱風噴出部171から噴出される熱風によつて、第１底壁パネル21の第１加熱領域41が加熱されるが、第１非熱風噴出部172からは熱風が噴出されないため、第１非加熱領域44は加熱されない。同熱風によって第１非熱風噴出部172が加熱されたとしても、第１非熱風噴出部172は第１非加熱領域44から遠く離れているため、第１非加熱領域44が加熱される心配は無い。第１熱風噴出部171から噴出された熱風は第１非加熱領域44等の不必要部分を加熱することなく、矢印Ｃで示すように、凹所151を通じて熱風ノズル53外に排出される。また、この熱風は、矢印Ｂで示す経路からも排出される。
【００５６】
第２側壁42の第２熱風噴出部201から噴出される熱風は、第２底壁パネル21のほぼ全体である第２加熱領域42を加熱する。第３側壁43には熱風噴出部がないため、第3底壁パネル23のほぼ全体にわたる第２非加熱領域45は加熱されない。第４底壁パネル24の加熱・非加熱の様子は、第２側壁パネル22の場合と同じである。
【００５７】
容器外面加熱ノズル72から噴出された熱風は、矢印Ｃで示す経路に加えて、第３側壁143の凹所211を通じて、矢印Ｄで示す経路からも熱風ノズル53外に排出される。これにより、熱風ノズル53内に熱風が滞留し、不必要部分を加熱することが効果的に防止される。
【００５８】
つぎに、図９〜図１１を参照して、容器内面加熱ノズル71の様々な変形例を説明する。以下の説明において、図５に示す部分と対応する部分には、同一の符号を付すものとする。
【００５９】
図９に示す容器内面加熱ノズル71は、図５に示すものと同様に、４つの側壁81〜84および底壁85を有している。
【００６０】
４つの側壁81〜84は、図５に示すものと同一構造である。図５に示す底壁85は、四角形状中央壁部101および４つの三角形状コーナ壁部102によって構成されていたが、この変形例では、四角形状中央壁部101に代えて、十文字状中央壁部271が採用されている。中央壁部271のなす十文字の直行２辺と、隣合う側壁81〜84の稜線下端との間には、断面Ｌ字状コーナ壁部272が広がっている。
【００６１】
図１０において、容器内面加熱ノズル71が４つの側壁81〜84および底壁85で構成されている点は、図５または図９に示す例と同じである。さらに、各側壁81〜84が、熱風噴出部および非熱風噴出部によって構成されている点もまた図５または図９に示す例と同じである。４つの側壁は、同一構造であるから、以下、第４側壁84についてのみ説明すると、この変形例においては、熱風噴出部281および非熱風噴出部282の境界が想像線Ｓで示されている。図５または図９に示す例では、熱風の逃げとなる凹所98が非熱風噴出部128の全体に形成されていたが、この変形例では、熱風噴出部281に近接する部分にこれと面一の平坦部283を残して、その下方にのみ、上端部に上方突出部284を有する略逆Ｖ字状輪郭をもつ凹所285が形成されている。底壁85は、図５に示す例と同様に、四角形状中央壁部286および４つの三角形状コーナ壁部287によって構成されているが、コーナ壁部287の上端近くには、上方突出部284に対応する屈曲部288が形成されている。
【００６２】
図１１は、図１０に示す凹所285をさらに狭めることを志向するものである。すなわち、境界線Ｓの下方ほぼ全体に、縦長の細い垂直状中央スリット291を除いて、平坦部292が形成されている。一方、底壁85には、水平断面四角形の輪郭をもつ凹所293が形成されている。凹所293は、各角部でスリット291と連通させられている。したがって、スリット291および凹所293が熱風逃げを形成している。
【００６３】
上記において、容器内面加熱ノズルの側壁に形成された凹所は、ノズル中心で連通させられていて、凹所の底が無い形態が示されているが、これに代わり、容器外面加熱ノズルの第１側壁に形成された凹所のように、底をもつ凹所として形成してもよい。要は、凹所の無い部分よりも、凹所の有る部分が後退させられていればよい。
【００６４】
＜容器頂部用加熱装置＞
図１８(a)および図１９(a)に、ブランク311の胴部構成部312およびこれの上端に連なる頂部構成部313の展開図が示されている。図１８(a)は、ブランク311の内面側から見たものであり、図１９(a)は、ブランク311の外面側から見たものである。
【００６５】
ブランク311には、これを角筒状に折曲げるための第１〜第４ブランクスコア線321〜324が右から左にかけて順次縦断状に形成されており、これにより、ブランク311は、右から左にかけて順次連なる第１〜第５パネル331〜335に区画されている。第１パネル331の左縁内面に第５パネル335の外面全体がシールされることにより、ブランク311は、角筒状に成形される。
【００６６】
第１〜第５パネル331〜335には、胴部構成部312と頂部構成部313を区画しかつ頂部構成部313を折曲げるための第１〜第５頂部スコア線341〜345が右から左に順次横断状に連なるように形成されている。
【００６７】
頂部構成部313は、第１〜第５頂部スコア線341〜345によって区画されかつ第１〜第４ブランクスコア線321〜324を介して右から左にかけて順次連なる第１〜第５頂壁パネル351〜355よりなる。第１〜第５頂壁パネル351〜355は、上縁シールリブ付切妻屋根型状に折畳まれる。
【００６８】
第１〜第４頂壁パネル351〜354の上縁近くには、上縁シールリブを折曲げるための第１〜第４リブスコア線361〜364が右から左に順次横断状に連なるように形成されている。第１〜第４リブスコア線361〜364によって、第１〜第４頂壁パネル351〜354は、第１〜第４ルーフパネル371〜374および第１〜第４シールパネル381〜384に区画されている。
【００６９】
第１および第３ルーフパネル371、373には、屋根の裏側部分を形成するように折曲げるための逆Ｖ字状第１および第２屋根スコア線391、392が形成されている。第２ルーフパネル372には、スパウトを形成するために折曲られる傾斜状第１スパウトスコア線401が形成されている。第４ルーフパネル374には、第１スパウトスコア線401とは左右が逆となるように、傾斜状第２スパウトスコア線402が形成されている。第１および第３シールパネル381、383には、第１および第２屋根スコア線391、392の上端から上向きにのびかつ第１および第３シールパネル381、383を２つ折りに重合わせるための第１および第２重合スコア線411、412が形成されている。
【００７０】
図１９(a)において、図１８(a)で説明したスコア線群と同じスコア線群が図１８(a)で示すパターンと表裏一体関係となるように示されている。符号を参照すると、その関係が明瞭に把握できるから、説明は省略する。
【００７１】
図１８(a)に示されている第１〜第４内面加熱領域421〜424および第１〜第３内面非加熱領域431〜433について説明する。加熱領域421〜424にはハッチングが施されている。
【００７２】
第２シールパネル382内面の第２リブスコア線362のほぼ左半分にそう一部には第２リブスコア線362とともに方形領域を取囲むように下向きコ字状第１想像線441が形成されている。第３シールパネル383内面の両端近くに、略上細りテーパ状第２想像線442が形成されている。第４シールパネル384内面には、第２シールパネル382内面の左右を丁度逆にするように第３想像線443が形成されている。
【００７３】
第１内面加熱領域421は、第１シールパネル381の内面全体である。第２シールパネル382において、第１想像線441を挟んで外側が第２内面加熱領域422であり、その内側が第１内面非加熱領域431である。第３シールパネル383では、第２想像線442の外側が第２内面加熱領域423であり、第２想像線442で挟まれている部分が第２内面非加熱領域432である。第４シールパネル384では、第１シールパネル381と同様に、第３想像線443を境界とする第４内面加熱領域424および第３内面非加熱領域433が形成されている。
【００７４】
図１９(a)には、第１および第２外面加熱領域451、452および第１および第２外面非加熱領域461、462が示されている。
【００７５】
第１および第２外面加熱領域451、452は、第１および第３シールパネル381、383の外面全体である。第１および第２外面非加熱領域461、462は、第２および第４シールパネル382、384の外面全体である。
【００７６】
つぎに、容器頂部ヒートシール用加熱装置について説明するが、頂部構成部313の加熱に際し、あらかじめ頂部構成部313には折癖が付けられていて、第１および第３頂壁パネル351、353は、水平断面略Ｖ字状をなすように内向きに倒されている（図１３および図１４参照）。
【００７７】
図１２を参照すると、熱風供給筒551と、これの排出口に取付板552を介して接続されている熱風ノズル553とが示されている。
【００７８】
図１６を参照すると、取付板552中央には中央連通口561が形成されるとともに、これを挟んでその両側に一対の側方連通口562がそれぞれ形成されている。
【００７９】
熱風ノズル553は、上端開口を中央連通口561に接続するように取付板552に下方突出状に取付られている有底角筒状容器内面加熱ノズル571と、容器内面加熱ノズル571を所定間隔をおいて取囲んでいる容器外面加熱ノズル572とを備えている。
【００８０】
熱風ノズル553は、角筒状ブランク311の頂部構成部313に対して接近・離隔しうるようにその軸方向に移動自在である。熱風ノズル553の接近時に、頂部構成部313に容器内面加熱ノズル571がはめ入れられるとともに、頂部構成部313に容器外面加熱ノズル572がはめ被せられるようになっている。
【００８１】
容器内面加熱ノズル571は、図１７に詳細に示すように、順次連なる４つの第１〜第４側壁581〜584および底壁585を有している。
【００８２】
図１８(b)には、第１〜第４側壁581〜584を外面側から見た展開図が示されている。また、この展開図には、第１〜第４頂壁パネル351〜355内面側が想像線で重合わされるように示されている。
【００８３】
第１および第３側壁581、583は、第１および第３頂壁パネル351、353の折癖に対応するように水平断面略Ｖ字状に屈曲させられているが、第２および第４側壁582、584は、平坦である。
【００８４】
第１〜第４側壁581〜584の下縁部にそって、第１〜第４内面加熱領域421〜424に対応する第１〜第４内面熱風噴出部611〜614が形成されるとともに、第１〜第３内面非加熱領域431〜433に対応する第１〜第３内面非熱風噴出部621〜623が形成されている。さらに、第１〜第４側壁581〜584の第１〜第４内面熱風噴出部611〜614の上方には、第４〜第７内面非熱風噴出部624〜627が形成されている。
【００８５】
第１〜第４内面熱風噴出部611〜614には多数の噴孔631が略千鳥状に散在するように形成されている。
【００８６】
第３側壁583から底壁585にかけて、これを窪ませるような形態で凹所641が形成されている。第３側壁583において、凹所641は、第２内面非熱風噴出部622の全体を占め、さらに、これを上方に延長するように第６内面非加熱領域626にも及んでいる。凹所641全体が内面側熱風逃げを形成している。
【００８７】
容器内面加熱ノズル571の底壁585において、凹所641は、同底壁585中央部を超えて、その底は第１側壁581の近くまで達している。
【００８８】
再び図１６を参照すると、容器外面加熱ノズル572は、容器内面加熱ノズル571の第１〜第４側壁581〜584と対応する第１〜第４ノズル要素651〜654よりなる。
【００８９】
第１〜第４ノズル要素651〜654は、第１〜第４側壁661〜664を有している。容器外面加熱ノズル572が頂部構成部313にはめ被せられたときに、これらの第１〜第４側壁661〜664は第１〜第４頂壁パネル351〜355にそれぞれ相対させられる。第１および第３側壁661、663は、容器内面加熱ノズル571の第１および第３側壁581、583と対応するように略Ｖ字状に屈曲させられている。
【００９０】
第１ノズル要素651は、上端を側方連通口562の１つに接続した幅方向を厚みとする上端開口横長方形中空体状のものである。第２ノズル要素652は、単体の板よりなる。第３ノズル要素653は、第１ノズル要素651と内外の向きは逆にするが、同一構造のものである。第４ノズル要素654は、第２ノズル要素652と内外の向きは逆にするが、同一構造の単体の板よりなる。
【００９１】
第１ノズル要素651および第３ノズル要素653は、上端を取付板552に接触させるように取付板552に取付られているが、取付板552に対して、第２ノズル要素652および第４ノズル要素654は、双方の間にスペーサ671を介在させた状態で取付られている。
【００９２】
取付板552に第１〜第４ノズル要素651〜654が取付られた状態で、第１〜第４ノズル要素651〜654の隣合うもの同士間には第１熱風排出間隙681が形成されている。さらに、スペーサ671によって、取付板552と、第２ノズル要素652および第４ノズル要素654との間に第２熱風排出間隙682が形成されている。
【００９３】
図１９(b)に、第１〜第４側壁661〜664を内面側から見た展開図が、第１〜第４頂壁パネル351〜355外面側展開図とともに示されている。
【００９４】
第１頂壁パネル351および第３頂壁パネル353には、第１および第２外面加熱領域451、452に対応する第１および第２外面熱風噴出部711、712が形成されるとともに、第２頂壁パネル352および第４頂壁パネル354には、第１および第２外面非加熱領域461、462に対応する第１および第２外面非熱風噴出部721、722が形成されている。さらに、第１頂壁パネル351および第３頂壁パネル353の第１および第２外面熱風噴出部711、712の上方には、第３および第４外面非熱風噴出部723、724が形成されている。
【００９５】
第１および第２外面熱風噴出部711、712には多数の噴孔731が形成されているが、第１および第２外面非熱風噴出部721、722には噴孔は無い。
【００９６】
熱風供給管551を通じて、熱風ノズル553に熱風が供給される。容器内面加熱ノズル571は頂部構成部313内面を加熱し、容器外面加熱ノズル572は頂部構成部313外面を加熱する。
【００９７】
頂部構成部313内面においては、第１〜第４内面加熱領域421〜424が第１〜第４内面熱風噴出部611〜614から噴出される熱風によって集中的に加熱されるが、第１〜第３非熱風噴出部621〜623からは熱風が噴出されないため、第１〜第４内面非加熱領域441〜443は加熱されない。
【００９８】
第３内面熱風噴出部613から噴出される熱風は、第３内面加熱領域423を加熱した後、反転してその一部は凹所641にも進入するため、第２内面非加熱領域432の加熱が防止される。
【００９９】
頂部構成部313外面においては、第１および第２外面熱風噴出部711、712によって、第１および第２外面加熱領域451、452が加熱される。
【０１００】
容器内面加熱ノズル571および容器外面加熱ノズル572から噴出した熱風は、熱気として、容器Ｗ内にこもり易い。熱気がこもると、熱気によって必要のないか所が加熱される恐れがある。容器Ｗ内にこもる熱風ないし熱気は、図１４矢印Ｅで示すように、凹所641を通じて、容器Ｗ外に速やかに排出されるため、容器Ｗ内に熱風ないし熱気がこもる心配がない。
【０１０１】
容器Ｗ内の液面Ｌには、充填時に生じた泡Ｂが漂っている。とくに、液面Ｌの中央部では、泡Ｂは嵩高く盛り上がっている。泡Ｂが容器内面加熱ノズル571の底壁585に付着し、熱風によって底壁585を伝って噴孔731のところまで運ばれると、噴孔731が塞がれる心配がある。ところが、凹所641があると、同底壁585に泡Ｂが付着する心配が無い。
【０１０２】
【発明の効果】
この発明によれば、容器のヒートシールに際し、容器となる包材の必要か所のみを集中的に加熱することができる。
【図面の簡単な説明】
【図１】この発明による容器底部用加熱装置の斜視図である。
【図２】図１のII−II線にそう横断面図である。
【図３】図２のIII−III線にそう縦断面図である。
【図４】同加熱装置の分解斜視図である。
【図５】図４の一部を拡大して示す容器内面加熱ノズルの斜視図である。
【図６】図４の一部を拡大して示す容器外面加熱ノズルの斜視図である。
【図７】容器底部構成部内面および容器内面加熱ノズルの展開図である。
【図８】容器底部構成部外面および容器外面加熱ノズルの展開図である。
【図９】容器内面加熱ノズルの変形例を示す図５相当の斜視図である。
【図１０】容器内面加熱ノズルの他の変形例を示す図５相当の斜視図である。
【図１１】容器内面加熱ノズルのさらなる他の変形例を示す図５相当の斜視図である。
【図１２】この発明による容器頂部用加熱装置の斜視図である。
【図１３】同加熱装置の水平横断面図である。
【図１４】図１３のXIV−XIV線にそう縦断面図である。
【図１５】図１３のXV−XV線にそう縦断面図である。
【図１６】同加熱装置の分解斜視図である。
【図１７】図１６の一部を拡大して示す容器内面加熱ノズルの斜視図である。
【図１８】容器頂部構成部内面および容器内面加熱ノズルの展開図である。
【図１９】容器頂部構成部外面および容器外面加熱ノズルの展開図である。
【符号の説明】
13  底部構成部
21〜24  底壁パネル
31〜34  加熱領域
35〜28  非加熱領域
53  熱風ノズル
71  容器内面加熱ノズル
72  容器外面加熱ノズル
81〜84  側壁
95〜98  凹所
121〜124  熱風噴出部
125〜128  熱風非噴出部
141〜144  側壁
171、201、251  熱風噴出部
172、221  熱風非噴出部
313  頂部構成部
251〜355  頂壁パネル
421〜524  加熱領域
431〜433  非加熱領域
553  熱風ノズル
571  容器内面加熱ノズル
572  容器外面加熱ノズル
581〜584  側壁
641  凹所
621〜623  熱風噴出部
624〜327  熱風非噴出部
【図１】
0004470371.tif 000002
【図２】
0004470371.tif 000003
【図３】
0004470371.tif 000004
【図４】
0004470371.tif 000005
【図５】
0004470371.tif 000006
【図６】
0004470371.tif 000007
【図７】
0004470371.tif 000008
【図８】
0004470371.tif 000009
【図９】
0004470371.tif 000010
【図１０】
0004470371.tif 000011
【図１１】
0004470371.tif 000012
【図１２】
0004470371.tif 000013
【図１３】
0004470371.tif 000014
【図１４】
0004470371.tif 000015
【図１５】
0004470371.tif 000016
【図１６】
0004470371.tif 000017
【図１７】
0004470371.tif 000018
【図１８】
0004470371.tif 000019
【図１９】
0004470371.tif 000020